(57)【要約】【課題】貯水タンクから便器への洗浄水供給時において、大洗浄および小洗浄のどちらの場合でも、貯水タンクから便器へ供給される洗浄水の量にバラつきが生じてしまうことを抑制した水洗大便器を提供することを目的とする。【解決手段】使用者が操作した便器洗浄スイッチで小洗浄が選択されていた場合、まずは貯水タンク２０からジェット吐水口１６への洗浄水の供給が開始してから貯水タンク２０内の水位が水位Ｌ１に達するまで上方フロートスイッチ６４ａで水位の検出を行い、水位Ｌ１よりも下方への水位下降についてはタイマー制御を行なう。このタイマー制御により、死水水位が死水水位ＷＤＬ２となるように、コントローラ６２は加圧ポンプ２２の作動を停止し、貯水タンク２０からジェット吐水口１６への洗浄水の供給が停止される。【選択図】図４
2018100574.tif 000002
【特許請求の範囲】
【請求項１】
便器本体と、
前記便器本体に供給する洗浄水を貯水する貯水タンクと、
前記貯水タンク内の洗浄水を前記便器本体に供給する洗浄水供給手段と、
前記貯水タンク内における止水水位よりも下方に設けられ前記貯水タンク内に洗浄水が供給されるときの前記貯水タンク内の水位を検出する上方水位検出手段と、前記貯水タンク内における前記上方水位検出手段よりも下方に設けられ前記貯水タンクから前記便器本体に洗浄水が供給されるときの前記貯水タンク内の水位を検出する下方水位検出手段と、を有する水位検出手段と、
使用者による大洗浄もしくは小洗浄の選択に応じて、前記洗浄水供給手段を制御して前記貯水タンクから前記便器本体へ供給される洗浄水の総水量を調整する制御手段と、
を備えた水洗大便器であって、
前記制御手段は、前記大洗浄時および前記小洗浄時において、前記水位検出手段による検出に基づいて前記洗浄水供給手段を制御する水洗大便器。
【請求項２】
前記制御手段は、前記小洗浄時において、前記上方水位検出手段が前記貯水タンク内の水位の下降を検出してから所定時間経過した後に、前記貯水タンクから前記便器本体への洗浄水の供給を停止させる請求項１に記載の水洗大便器。
【請求項３】
前記下方水位検出手段は、前記小洗浄時における前記貯水タンク内の死水水位よりも上方に設けられ、
前記制御手段は、前記小洗浄時において、前記下方水位検出手段が前記貯水タンク内の水位の下降を検出したときに、前記貯水タンクから前記便器本体への洗浄水の供給を停止させる請求項１に記載の水洗大便器。
【発明の詳細な説明】
【技術分野】
【０００１】
本発明は、水洗大便器に係り、特に、便器に供給する洗浄水を貯水する貯水タンクを備える水洗大便器に関する。
【背景技術】
【０００２】
近年、水洗大便器において、貯水タンク内の洗浄水を便器に供給するようになっている水洗大便器が知られている。
【先行技術文献】
【特許文献】
【０００３】
【特許文献１】特開２００９−２０７５号公報
【発明の概要】
【発明が解決しようとする課題】
【０００４】
特許文献１のような水洗大便器においては、貯水タンクから便器への洗浄水の供給を開始してから、下方フロートスイッチがオン状態からオフ状態に切り替わったときに、貯水タンクから便器への洗浄水供給を停止するように構成されている。しかし、便器へ供給する洗浄水量の多い大洗浄と便器へ供給する洗浄水量の少ない小洗浄の何れか一方を選択可能な水洗大便器の場合、大洗浄においては死水水位が下方フロートスイッチの検出可能な水位よりも低いため、下方フロートスイッチの検出に応じて貯水タンクから便器への洗浄水の供給を停止できるが、小洗浄においては死水水位が下方フロートスイッチの検出可能な水位よりも高いため、下方フロートスイッチの検出に基づいた貯水タンクから便器への洗浄水供給の制御を行なうことができない。そのため、こういった場合、小洗浄においては貯水タンクから便器への洗浄水の供給開始からタイマー制御を行なうことで、貯水タンクから便器への洗浄水供給を制御する方法が一般的である。
【０００５】
しかし、タイマー制御によって洗浄水供給の制御を行なうと、便器の製造誤差の影響によって貯水タンクから便器へ供給される洗浄水の量にバラつきが生じてしまう虞がある。
【０００６】
本発明は、上述した問題を解決するためになされたものであり、貯水タンクから便器への洗浄水の供給を行なう時、大洗浄および小洗浄のどちらにおいても、貯水タンクから便器へ供給される洗浄水の量にバラつきが生じてしまうことを抑制した水洗大便器を提供することを目的とする。
【０００７】
本発明の一態様に関わる水洗大便器は、便器本体と、前記便器本体に供給する洗浄水を貯水する貯水タンクと、前記貯水タンク内の洗浄水を前記便器本体に供給する洗浄水供給手段と、前記貯水タンク内における止水水位よりも下方に設けられ前記貯水タンク内に洗浄水が供給されるときの前記貯水タンク内の水位を検出する上方水位検出手段と、前記貯水タンク内における前記上方水位検出手段よりも下方に設けられ前記貯水タンクから前記便器本体に洗浄水が供給されるときの前記貯水タンク内の水位を検出する下方水位検出手段と、を有する水位検出手段と、使用者による大洗浄もしくは小洗浄の選択に応じて、前記洗浄水供給手段を制御して前記貯水タンクから前記便器本体へ供給される洗浄水の総水量を調整する制御手段と、を備えた水洗大便器であって、前記制御手段は、前記大洗浄時および前記小洗浄時において、前記水位検出手段による検出に基づいて前記洗浄水供給手段を制御する。
【０００８】
この構成によれば、大洗浄および小洗浄のどちらにおいても、水位検出手段による検出に基づいて洗浄水供給手段を制御しているため、貯水タンクから便器へ供給される洗浄水の量にバラつきが生じてしまうことを抑制することができる。
【０００９】
本発明の一態様に係る水洗大便器において、好ましくは、前記制御手段は、前記小洗浄時において、前記上方水位検出手段が前記貯水タンク内の水位の下降を検出してから所定時間経過した後に、前記貯水タンクから前記便器本体への洗浄水の供給を停止させる。
【００１０】
この構成によれば、小洗浄時において、上方水位検出手段による貯水タンク内の水位検出に基づいて洗浄水供給手段を制御しているため、貯水タンクから便器へ供給される洗浄水の量にバラつきが生じてしまうことを抑制することができる。
【００１１】
本発明の一態様に係る水洗大便器において、好ましくは、前記下方水位検出手段は、前記小洗浄時における前記貯水タンク内の死水水位よりも上方に設けられ、前記制御手段は、前記小洗浄時において、前記下方水位検出手段が前記貯水タンク内の水位の下降を検出したときに、前記貯水タンクから前記便器本体への洗浄水の供給を停止させる。
【００１２】
この構成によれば、大洗浄時および小洗浄時どちらにおいても下方水位検出手段による検出に基づいて洗浄水供給手段を制御しているため、貯水タンクから便器へ供給される洗浄水の量にバラつきが生じてしまうことを抑制することができる。
【発明の効果】
【００１３】
本発明によれば、貯水タンクから便器への洗浄水の供給を行なう時、大洗浄および小洗浄のどちらにおいても、貯水タンクから便器へ供給される洗浄水の量にバラつきが生じてしまうことを抑制した水洗大便器である。
【図面の簡単な説明】
【００１４】
【図１】本発明の実施形態による水洗大便器の側面図である。
【図２】図１に示す水洗大便器の平面図である。
【図３】本発明の第１実施形態による水洗大便器を示す全体構成図である。
【図４】本発明の第１実施形態による水洗大便器の便器洗浄開始からタンク給水開始までについて説明したフローチャートである。
【図５】本発明の第１実施形態による水洗大便器を示す全体構成図である。
【発明を実施するための形態】
【００１５】
以下、本発明の実施の形態について添付図面を参照しながら説明する。なお、各図面中、同様の構成要素には同一の符号を付して詳細な説明は適宜省略する。
【００１６】
先ず、図１乃至図３により、本発明の実施形態による水洗大便器の構造を説明する。図１は、本発明の実施形態による水洗大便器の側面図である。図２は、図１に示す水洗大便器の平面図である。図３は、本発明の第１実施形態による水洗大便器を示す全体構成図である。
【００１７】
図１及び図２に示すように、本発明の実施形態による水洗大便器１は、便器本体２と、この便器本体２の上面に配置された便座４と、便座４を覆うように配置されたカバー６と、便器本体の後方上部に配置された局部洗浄装置８と、を備えている。さらに、便器本体２の後方には、機能部１０が配置されており、この機能部１０はサイドパネル１１により覆われている。
【００１８】
便器本体２には、汚物を受けるボウル部１２と、このボウル部１２の底部から延びる排水トラップ管路１４と、排水トラップ管路１４の下端に接続された排水管１５と、ジェット吐水を行うジェット吐水口１６と、リム吐水を行うリム吐水口１８が形成されている。
ジェット吐水口１６は、ボウル部１２の底部に形成されており、排水トラップ管路１４の入口に指向してほぼ水平に配置され、洗浄水を排水トラップ管路１４に向けて吐水するようになっている。リム吐水口１８は、ボウル部１２の左側上部後方に形成されており、ボウル部１２の上縁に沿って洗浄水を吐出するようになっている。
【００１９】
排水トラップ管路１４は、入口部１４ａと、この入口部１４ａから上昇するトラップ上昇管１４ｂと、このトラップ上昇管１４ｂから下降するトラップ下降管１４ｃとからなり、トラップ上昇管１４ｂとトラップ下降管１４ｃとの間が頂部１４ｄとなっている。トラップ下降管１４ｃの下端に上述した排水管１５が接続されている。
【００２０】
本実施形態による水洗大便器１は、洗浄水を供給する水道に直結されており、水道の給水圧力によりリム吐水口１８から洗浄水が吐出される。また、ジェット吐水に関しては、後述するように、機能部１０に内蔵された貯水タンク２０に貯水された洗浄水を加圧ポンプ２２によって加圧して、大流量でジェット吐水口１６から吐出させるようになっている。
【００２１】
次に、図３により、本実施形態による水洗大便器１の機能部１０を詳細に説明する。
図３に示すように、機能部１０には、水道から洗浄水が供給される給水路２４が設けられ、この給水路２４には、上流側から、止水栓２６、ストレーナ２８、分岐金具３０、定流量弁３２、ダイヤフラム式の電磁開閉弁３４、給水路切替弁３６がそれぞれ設けられている。定流量弁３２は、止水栓２６、ストレーナ２８、分岐金具３０を介して流入した洗浄水を、所定の流量以下に絞るためのものである。
【００２２】
これらの定流量弁３２、電磁開閉弁３４、及び、給水路切替弁３６は、図３に示すように、バルブユニット３７（給水手段）として、一体的に組み立てられたものとなっている。また、給水路切替弁３６の下流側には、リム吐水口１８に洗浄水を供給するためのリム側給水路３８、及び、貯水タンク２０に洗浄水を供給するためのタンク側給水路４０が接続されている。
【００２３】
ここで、定流量弁３２を通過した洗浄水は、電磁開閉弁３４に流入し、電磁開閉弁３４を通過した洗浄水は、給水路切替弁３６により、リム側であるリム側給水路３８からリム吐水口１８へ、又は、タンク側であるタンク側給水路４０から貯水タンク２０に供給されるようになっている。給水路切替弁３６は、リム側給水路３８とタンク側給水路４０の両方に同じタイミングで洗浄水を供給可能であって、リム側とタンク側への給水量の割合を任意に変更出来る切替弁である。
これらの電磁開閉弁３４の開閉操作、及び、給水路切替弁３６の切替操作は、機能部１０のコントローラ６２（制御手段）により制御される。そして、電磁開閉弁３４を開弁して給水路切替弁３６がタンク側給水路４０に連通させることにより貯水タンクへ水を供給することができる。
【００２４】
また、貯水タンク２０の下部には、ジェット側給水路４６が接続されており、このジェット側給水路４６の下流端は、ジェット吐水口１６に接続されている。また、ジェット側給水路４６の途中に上述した加圧ポンプ２２が設けられている。この加圧ポンプ２２は、貯水タンク２０に貯水された洗浄水を加圧して、ジェット吐水口１６から吐出させるためのものである。加圧ポンプ２２の回転数や作動時間等は、機能部１０に設けられたコントローラ６２により制御される。
【００２５】
ジェット側給水路４６は、加圧ポンプ２２より上流側の上流ジェット側給水路４６ａと下流側の下流ジェット側給水路４６ｂとから構成されている。ここで、下流ジェット側給水路４６ｂは、図３に示すように、先ず、加圧ポンプ２２から上方に延び、水洗大便器１のボウル部１２の溜水面Ａよりも上方に配管が配置され、その後、配管が下方に向けて延びて構成されている。このように上方に向けた凸型に形成されている下流ジェット側給水路４６ｂにおいて、その凸型部分の最も高い部分である頂部４６ｃは、貯水タンク２０からジェット吐水口１６に至るジェット側給水路４６の中で最も高い部分になっている。
【００２６】
次に、上述したリム側給水路３８には、リム吐水用バキュームブレーカ４８が設けられており、給水路２４に負圧が発生したときに洗浄水のリム吐水口１８からの逆流を防止している。また、リム吐出用バキュームブレーカ４８は、図３に示すように、ボウル部１２の上端面よりも上方に配置され、これにより、逆流を確実に防止している。さらに、リム吐水用バキュームブレーカ４８の大気開放部から溢れた洗浄水は、戻り管路５０を通って貯水タンク２０に流入するようになっている。
タンク側給水路４０にも、逆止弁であるバキュームブレーカ４２が設けられており、洗浄水の貯水タンクからの逆流を防止している。
【００２７】
ここで、貯水タンク２０は、密閉タイプの貯水タンクであり、タンク側給水路４０と貯水タンク２０との接続部には、逆止弁４３が設けられている。この逆止弁４３により、貯水タンク２０が満水状態になった場合でも、逆止弁４３が浮上して、タンク側給水路４０との接続部を閉鎖するので、洗浄水がタンク側給水路４０に逆流することがないようになっている。
同様に、戻り管路５０と貯水タンク２０の接続部にも、逆止弁４４が設けられており、貯水タンク２０が満水状態となった場合でも、洗浄水が戻り管路５０に逆流することはないようになっている。
【００２８】
さらに、ジェット側給水路４６の上流ジェット側給水路４６ａには、逆止弁であるジェット吐水用フラッパー弁５６及び水抜栓５８が設けられている。これらのジェット吐水用フラッパー弁５６及び水抜栓５８は、加圧ポンプ２２よりも下方の、貯水タンク２０の下端部付近の高さに配置されている。このため、水抜栓５８を開放することにより、メンテナンス時等に貯水タンク２０内及び加圧ポンプ２２内の洗浄水を排水することができるようになっている。
【００２９】
また、貯水タンク２０と加圧ポンプ２２の間にジェット吐水用フラッパー弁５６を配置することにより、貯水タンク２０内の水位が加圧ポンプ２２の高さよりも低くなった場合に、洗浄水が加圧ポンプ２２から貯水タンク２０に逆流し、加圧ポンプ２２内の洗浄水が抜け、加圧ポンプ２２が空運転してしまうことを防止している。また、加圧ポンプ２２の下方には、水受けトレイ６０が配置されており、結露した水滴や漏水を受けるようになっている。
【００３０】
さらに、貯水タンク２０の上方フロートスイッチ６４ａよりも上方位置に、その一端が開口し（開口７０ａ）、他端７０ｂが下流ジェット側給水路４６ｂに接続されたオーバーフロー流路７０が設けられている。このオーバーフロー流路７０には、逆止弁であるフラッパー弁７２が取り付けられている。
このオーバーフロー流路７０は、貯水タンク２０において、水位が開口７０ａより高くなるような場合、その貯水タンク２０内の水をジェット側給水路４６を介してジェット吐水口１６から便器本体２に逃がして、貯水タンク２０から水が溢れ出すことがないようにするものである。
【００３１】
また、このオーバーフロー流路７０及びフラッパー弁７２により、洗浄水のジェット吐水口１６からの逆流を防止すると共に、これらの間の縁切りを行うことができるようになっている。また、オーバーフロー流路７０の他端７０ｂが、ボウル部１２内の溜水の水位よりも上方に設けられているため、洗浄水のジェット吐水口１６からの逆流をより確実に防止するようにしている。
【００３２】
上述した電磁開閉弁３４、給水路切替弁３６、加圧ポンプ２２などの動作内容を説明する。コントローラ６２は、使用者による便器洗浄スイッチ（図示せず）の操作により、電磁開閉弁３４、給水路切替弁３６を作動させ、先ずリム吐水口１８から吐水し、リム吐水を継続させながら、次に加圧ポンプ２２を作動してジェット吐水口からの吐水を開始させて、サイホン作用を発生させてボウル部１２の溜水を汚物と共に排出洗浄する。さらに、コントローラ６２は、加圧ポンプ２２の作動停止した後もリム吐水を継続してボウル部１２に溜水を貯めて洗浄終了する。その洗浄終了後、給水路切替弁３６を貯水タンク２０側に切り替えて洗浄水を貯水タンク２０に補給する。貯水タンク２０内の水位が上昇し、上方フロートスイッチ６４ａが規定の貯水量を検出すると、コントローラ６２は、電磁開閉弁３４を閉鎖して給水を停止する。
【００３３】
次に、貯水タンク２０の内部には、上方フロートスイッチ６４ａ、及び、下方フロートスイッチ６４ｂが配置されている。上方フロートスイッチ６４ａは、貯水タンク２０内に洗浄水が供給されるときの貯水タンク２０内の水位を検出する上方水位検出手段であって、貯水タンク２０内の水位が所定の水位Ｌ１よりも上方へ上昇するとオフからオンに切り替わり、コントローラ６２はこれを検知して、電磁開閉弁３４を閉鎖させる。これにより、最終的に貯水タンク２０内に貯水される洗浄水は止水水位（ＷＦＬ）まで貯まる。
【００３４】
下方フロートスイッチ６４ｂは、貯水タンク２０内における上方フロートスイッチ６４ａよりも下方に設けられ貯水タンク２０から便器本体２に洗浄水が供給されるときの貯水タンク２０内の水位を検出する下方水位検出手段であって、貯水タンク２０内の水位が所定の水位Ｌ３よりも下方へ下降するとオフからオンに切り替わる。
【００３５】
水洗大便器１は、便器本体２に供給される洗浄水の量が多くなる状態（大洗浄）と、便器本体２に供給される洗浄水の量が少なくなる状態（小洗浄）と、のいずれかを使用者が便器洗浄スイッチ（図示せず）を操作することで選択できるようになっている。便器洗浄が開始される前は、貯水タンク２０内の水位は止水水位（ＷＦＬ）となっており、使用者の便器洗浄スイッチの操作によって便器洗浄が指示されると、貯水タンク２０からジェット吐水口１６への洗浄水の供給が開始され、貯水タンク２０内の水位が下降し始める。
【００３６】
ここで、使用者が操作した便器洗浄スイッチで大洗浄が選択されていた場合、貯水タンク２０からジェット吐水口１６への洗浄水の供給が開始してから貯水タンク２０内の水位が水位Ｌ３よりも下方へ下降したときに、下方フロートスイッチ６４ｂがオンに切り替わることでコントローラ６２は加圧ポンプ２２の作動を停止し、貯水タンク２０からジェット吐水口１６への洗浄水の供給が停止される。最終的に、貯水タンク２０内の水位は、死水水位ＷＤＬ１まで下降する。
次に、使用者が操作した便器洗浄スイッチで小洗浄が選択されていた場合、まずは貯水タンク２０からジェット吐水口１６への洗浄水の供給が開始してから貯水タンク２０内の水位が水位Ｌ１よりも下方へ下降するまで上方フロートスイッチ６４ａで水位の検出を行い、水位Ｌ１よりも下方の水位下降についてはタイマー制御を行なう。このタイマー制御により、死水水位が死水水位ＷＤＬ２となるようにコントローラ６２は加圧ポンプ２２の作動を制御し、貯水タンク２０からジェット吐水口１６への洗浄水の供給が停止される。
【００３７】
次に、図４により、本発明の第１実施形態による水洗大便器の動作フローについて説明する。図４は、本発明の第１実施形態による水洗大便器の便器洗浄時について説明したフローチャートである。
【００３８】
図４に示すように、便器洗浄が開始されると、リム吐水口１８からリム吐水を開始する（ステップＳ１）。つまり、コントローラ６２は給水路切替弁３６を切り替え制御して、全洗浄水をリム側に供給する状態（リム１００％）にし、リム側給水路３８からリム吐水口１８へ洗浄水を供給する。なお、このリム吐水口１８からのリム吐水は、タンク給水が開始される前（ステップＳ１２）まで継続して行われる。
【００３９】
ステップＳ１においてリム吐水口１８からのリム吐水が開始されてから所定時間Ｔ１が経過したときに、ジェット吐水口１６からのジェット吐水を開始する（ステップＳ２，３）。つまり、コントローラ６２は、加圧ポンプ２２を作動させて、貯水タンク２０に貯水された洗浄水をジェット側給水路４６を介してジェット吐水口１６へ供給する。
【００４０】
なお、ステップＳ３においてジェット吐水口１６からのジェット吐水が開始されるにあたり、使用者によって押された便器洗浄スイッチの種類が大洗浄であったか、それとも小洗浄であったかによってフローが分かれる（ステップＳ４）。
【００４１】
ステップＳ４において大洗浄であった場合、つまり使用者によって押された便器洗浄スイッチの種類が大洗浄であった場合、貯水タンク２０内の水位が大洗浄時の死水水位に到達するまで貯水タンク２０からジェット吐水口１６への洗浄水の供給を行なった後に、ジェット吐水を停止する（ステップＳ５，６，１０）。
具体的にいうと、コントローラ６２は、貯水タンク２０内の下方フロートスイッチ６４ｂがオンに切り替わったか否かを判断する（ステップＳ５）。ステップＳ５において、下方フロートスイッチ６４ｂがオンに切り替わっていないと判断した場合、コントローラ６２は、ジェット吐水を開始してから所定時間Ｔ２が経過したか否かを判断する（ステップＳ６）。このステップＳ６は、下方フロートスイッチ６４ｂが故障していてオンに切り替わらなかった場合の安全タイマーである。ステップＳ６において、ジェット吐水を開始してから所定時間Ｔ２が経過したと判断した場合、もしくは、ステップＳ５において、下方フロートスイッチ６４ｂがオンに切り替わったと判断した場合、ジェット吐水を停止する（ステップＳ１０）。すなわち、コントローラ６２は、加圧ポンプ２２を停止させて貯水タンク２０からのジェット側給水路４６を介したジェット吐水口１６への洗浄水の供給を停止させる。
なお、本実施形態においては、ステップＳ５において下方フロートスイッチ６４ｂがオンに切り替わったときにジェット吐水を停止する（ステップＳ２０）こととしたが、本発明はこれに限らず、貯水タンク２０からジェット吐水口１６への洗浄水の供給量や下方フロートスイッチ６４ｂが設けられる位置に応じて、ステップＳ５において下方フロートスイッチ６４ｂがオンに切り替わってから所定時間が経過したときにジェット吐水を停止させてもよい。
【００４２】
ステップＳ４において小洗浄であった場合、つまり使用者によって押された便器洗浄スイッチの種類が小洗浄であった場合、貯水タンク２０内の水位が小洗浄時の死水水位に到達するまで貯水タンク２０からジェット吐水口１６への洗浄水の供給を行なった後に、ジェット吐水を停止する（ステップＳ７〜１０）。
具体的にいうと、コントローラ６２は、貯水タンク２０内の上方フロートスイッチ６４ａがオフに切り替わったか否かを判断する（ステップＳ７）。ステップＳ７において、上方フロートスイッチ６４ａがオフに切り替わったと判断した場合、上方フロートスイッチ６４ａがオフに切り替わってから所定時間Ｔ３が経過した後にジェット吐水を停止する（ステップＳ８，１０）。ステップＳ７において、上方フロートスイッチ６４ａがオフに切り替わっていないと判断した場合、コントローラ６２は、ジェット吐水を開始してから所定時間Ｔ４が経過したか否かを判断する（ステップＳ９）。このステップＳ９は、上方フロートスイッチ６４ａが故障していてオフに切り替わらなかった場合の安全タイマーである。ステップＳ９において、ジェット吐水を開始してから所定時間Ｔ４が経過した場合、ステップＳ１０へと進み、ジェット吐水を停止する。
【００４３】
ステップＳ１０においてジェット吐水を停止してから所定時間Ｔ５が経過した後、リム吐水口１８からのリム吐水を停止して、貯水タンク２０へ洗浄水を供給するタンク給水を開始する（ステップＳ１１〜１３）。つまり、ジェット吐水を停止してから所定時間Ｔ５が経過したとき、コントローラ６２は、給水路切替弁３６を切り替え制御して、全洗浄水をリム側に供給する状態（リム１００％）から全洗浄水をタンク側に供給する状態（タンク１００％）に切り替えてタンク給水を開始する。
【００４４】
その後、貯水タンク２０内が満水になるまでタンク給水を行い、貯水タンク２０内が満水になったときにタンク給水を停止する（ステップＳ１４，１５）。
【００４５】
次に、本実施形態における水洗大便器の作用効果を説明する。
【００４６】
本実施形態において、水洗大便器１のコントローラ６２は、大洗浄時においては便器洗浄を開始してから下方フロートスイッチ６４ｂがオンに切り替わったときに、貯水タンク２０から便器本体２への洗浄水の供給を停止し、小洗浄時においては便器洗浄を開始してから上方フロートスイッチ６４ａがオフに切り替わり、その後所定時間Ｔ３が経過した後に貯水タンク２０から便器本体２への洗浄水の供給を停止する。これにより、大洗浄時において水位検出手段（下方フロートスイッチ６４ｂ）の検出に基づいて貯水タンク２０から便器本体２への洗浄水の供給を制御するだけでなく、小洗浄時においても、便器洗浄開始から停止まで全てタイマー制御によって貯水タンク２０から便器本体２への洗浄水の供給を制御するのではなく、便器洗浄開始から上方フロートスイッチ６４ａがオフに切り替わるまでは水位検出手段（上方フロートスイッチ６４ａ）による検出を用いて貯水タンク２０から便器本体２への洗浄水の供給を制御しているため、貯水タンク２０から便器本体２への洗浄水の供給量のバラつきを抑制することができる。
【００４７】
次に、本発明の第２実施形態による水洗大便器の動作フローについて説明する。図５は、本発明の第１実施形態による水洗大便器を示す全体構成図である。
本発明の第２実施形態による水洗大便器１００は、貯水タンク２０内の水位に関する構成以外は、上述した第１実施形態と同様である。したがって、ここでは、本実施形態の第１実施形態とは異なる点のみを説明し、同様の点については説明を省略する。
【００４８】
図５に示すように、本実施形態においては、下方フロートスイッチ６４ｂが小洗浄時における貯水タンク２０内の死水水位ＷＤＬ１０２よりも上方となるように構成される。これにより、小洗浄時においてコントローラ６２は、貯水タンク２０からジェット吐水口１６への洗浄水の供給が開始してから貯水タンク２０内の水位が水位Ｌ１３まで下降したときに、下方フロートスイッチ６４ｂがオンに切り替わることでコントローラ６２は加圧ポンプ２２の作動を停止し、貯水タンク２０からジェット吐水口１６への洗浄水の供給が停止される。最終的に、貯水タンク２０内の水位は、死水水位ＷＤＬ１０２まで下降する。
なお、大洗浄時においては、貯水タンク２０からジェット吐水口１６への洗浄水の供給が開始してから貯水タンク２０内の水位が水位Ｌ１３まで下降したときに、下方フロートスイッチ６４ｂがオンに切り替わってからコントローラ６２はタイマー制御へと切り替え、下方フロートスイッチ６４ｂがオフに切り替わってから所定時間が経過した後にコントローラ６２は加圧ポンプ２２の作動を停止し、貯水タンク２０からジェット吐水口１６への洗浄水の供給が停止される。最終的に、貯水タンク２０内の水位は、死水水位ＷＤＬ１０１まで下降する。
【００４９】
このように、本発明の第２実施形態による水洗大便器１００においては、大洗浄および小洗浄のいずれにおいても下方フロートスイッチ６４ｂがオンに切り替わる水位Ｌ３までは下方フロートスイッチ６４ｂによる検出に基づいて貯水タンク２０内の水位の検出を行なうことで、貯水タンク２０から便器本体２への洗浄水の供給量のバラつきを抑制することができる。
【００５０】
以上、本願の開示する技術の実施形態について説明したが、本願の開示する技術は、上記に限定されるものではない。
【００５１】
例えば、上記実施形態においては、貯水タンク２０内の洗浄水をジェット側給水路４６を介してジェット吐水口１６へ供給することとしたが、本発明はこれに限らず、貯水タンク２０内の洗浄水をリム吐水口１８へ供給するような構成としてもよい。
【００５２】
前述した各実施の形態が備える各要素は、技術的に可能な限りにおいて組み合わせることができ、これらを組み合わせたものも本発明の特徴を含む限り本発明の範囲に包含される。
【符号の説明】
【００５３】
１        水洗大便器
２        便器本体
４        便座
６        カバー
８        局部洗浄装置
１０      機能部
１１      サイドパネル
１２      ボウル部
１４      排水トラップ管路
１４ａ    入口部
１４ｂ    トラップ上昇管
１４ｃ    トラップ下降管
１４ｄ    頂部
１５      排水管
１６      ジェット吐水口
１８      リム吐水口
２０      貯水タンク
２２      加圧ポンプ
２４      給水路
２６      止水栓
２８      ストレーナ
３０      分岐金具
３２      定流量弁
３４      電磁開閉弁
３６      給水路切替弁
３７      バルブユニット（給水手段）
３８      リム側給水路
４０      タンク側給水路
４２      バキュームブレーカ
４３      逆止弁
４４      逆止弁
４６      ジェット側給水路
４６ａ    上流ジェット側給水路
４６ｂ    下流ジェット側給水路
４８      リム吐水用バキュームブレーカ
５０      戻り管路
５６      ジェット吐水用フラッパー弁
５８      水抜栓
６０      水受けトレイ
６２      コントローラ（制御手段）
６４ａ    上方フロートスイッチ（上方水位検出手段）
６４ｂ    下方フロートスイッチ（下方水位検出手段）
７０      オーバーフロー流路
７０ａ    開口
７０ｂ    他端
Ａ        溜水面
【図１】
2018100574.tif 000003
【図２】
2018100574.tif 000004
【図３】
2018100574.tif 000005
【図４】
2018100574.tif 000006
【図５】
2018100574.tif 000007